(57)【要約】  本開示に係る画像投写装置は、投写面に対して画像を投写する画像投写装置であって、画像形成素子と、屈折光学ユニットと、反射光学系ユニットとを備える。画像形成素子は、画像信号に基づいて投写面に投写する画像を形成する。屈折光学ユニットは、画像形成素子によって形成された画像の光を投写面の方向へ導く複数のレンズを含む屈折光学系を有する。反射光学系は、屈折光学系によって導かれた光を反射する第１ミラーおよび第１ミラーによって反射された光を投写面に向かって反射する第２ミラーを含む反射光学系と、屈折光学ユニットにおいて生じ、第１ミラーと第２ミラーとの間を通過する一部の光を、遮蔽する位置に設けられた遮蔽面を含む遮蔽部（２０）と、を有する。
2018003400.tif 000002
【特許請求の範囲】
【請求項１】
投写面に画像を投写する画像投写装置であって、  画像信号に基づいて前記投写面に投写する画像を形成する画像形成素子と、  前記画像形成素子によって形成された画像の光を前記投写面の方向へ導く複数のレンズを含む屈折光学系を有する屈折光学ユニットと、    前記屈折光学系によって導かれた光を反射する第１ミラー及び前記第１ミラーによって反射された光を前記投写面に向かって反射する第２ミラーを含む反射光学系と、    前記屈折光学ユニットにおいて生じ、前記第１ミラーと前記第２ミラーとの間を通過する一部の光を、遮蔽する位置に設けられた遮蔽面を含む遮蔽部と、  を有する反射光学ユニットと、を備える、画像投写装置。
【請求項２】
前記一部の光は、前記投写面に投写される前記画像の形成に寄与しない不要光である、請求項１に記載の画像投写装置。
【請求項３】
前記投写面は、前記屈折光学系に含まれる前記複数のレンズの光軸上に設置される、請求項１または２に記載の画像投写装置。
【請求項４】
前記遮蔽部は、前記第１ミラーおよび前記第２ミラーの少なくとも一方の前記光軸に近い側の端部に配置される、請求項３に記載の画像投写装置。
【請求項５】
前記遮蔽部は、    前記遮蔽部が前記第１ミラーに設けられる場合は、前記第２ミラーの方向に伸びて設けられ、    前記遮蔽部が前記第２ミラーに設けられる場合は、前記第１ミラーの方向に伸びて設けられる、請求項４に記載の画像投写装置。
【請求項６】
前記遮蔽面は、前記第１ミラーおよび前記第２ミラーのいずれかの反射面の任意の位置における法線と平行である、請求項１から３のいずれか１項に記載の画像投写装置。
【請求項７】
前記遮蔽部は、前記第１ミラーに取り付けられている、請求項６に記載の画像投写装置。
【請求項８】
前記反射光学ユニットは、前記第１ミラーを保持する第１ミラー保持部をさらに有し、  前記遮蔽部は、前記第１ミラー保持部に設けられている、請求項６に記載の画像投写装置。
【請求項９】
前記遮蔽部は、前記第１ミラー保持部とともに一体的に形成されている、請求項８に記載の画像投写装置。
【請求項１０】
前記遮蔽部は、前記第２ミラーの方向に伸びて設けられる、請求項７から９のいずれか１項に記載の画像投写装置。
【請求項１１】
前記遮蔽部は、前記第２ミラーに取り付けられている、請求項６に記載の画像投写装置。
【請求項１２】
前記反射光学ユニットは、前記第２ミラーを保持する第２ミラー保持部をさらに有し、  前記遮蔽部は、前記第２ミラー保持部に設けられている、請求項６に記載の画像投写装置。
【請求項１３】
前記遮蔽部は、前記第２ミラー保持部とともに一体的に形成されている、請求項１２に記載の画像投写装置。
【請求項１４】
前記遮蔽部は、前記第１ミラーの方向に伸びて設けられる、請求項１１から１３のいずれか１項に記載の画像投写装置。
【請求項１５】
前記遮蔽部は、シート状に形成されている、請求項１から１４のいずれか１項に記載の画像投写装置。
【発明の詳細な説明】
【技術分野】
【０００１】  本開示は、複数のレンズを含む屈折光学系において生じた不要光が投写面へ投写されることを防止することが可能な画像投写装置に関する。
【背景技術】
【０００２】  近年、ＬＥＤ（Light emitting diode）等の照明装置から出射された光を、映像情報に応じて変調して形成された光学像を拡大してスクリーンに投写するプロジェクタ（画像投写装置）が用いられている。例えば、特許文献１のプロジェクタは、照明光学系内に設けられ照明光束の周縁の一部を遮光する遮光部材と、遮蔽部材を調整する遮光部材調整手段と、を備えている。【０００３】  これにより、特許文献１のプロジェクタでは、照明光束が変調素子（ミラー素子）の近傍において反射された反射光束のうち投影光学系を通過して投影面に投影される部分に相当する照明光束の部分が遮光されるため、投影面に投影されるフラット光束を除去する。
【先行技術文献】
【特許文献】
【０００４】
【特許文献１】特開２０１４−２１５５２７号公報
【発明の概要】
【０００５】  しかしながら、上記従来のプロジェクタでは、以下に示すような問題点を有している。すなわち、上記特許文献１に開示されたプロジェクタでは、変調素子を構成するミラー素子の近傍において反射された不要光を除去することができる。しかし、上記プロジェクタでは、光が照明光学系を通過した後、複数のレンズを含む屈折光学系内において生じた不要光を除去することについて考慮されていない。
【０００６】  本開示の課題は、複数のレンズを含む屈折光学系において生じた不要光が投写面へ投写されることを防止することが可能な画像投写装置を提供することにある。
【０００７】  本開示に係る画像投写装置は、投写面に対して画像を投写する画像投写装置であって、画像形成素子と、屈折光学ユニットと、反射光学系ユニットと、を備える。画像形成素子は、画像信号に基づいて投写面に投写する画像を形成する。屈折光学ユニットは、画像形成素子によって形成された画像の光を投写面の方向へ導く複数のレンズを含む屈折光学系を有する。反射光学系は、屈折光学系によって導かれた光を反射する第１ミラーおよび第１ミラーによって反射された光を投写面に向かって反射する第２ミラーを含む反射光学系と、屈折光学ユニットにおいて生じ、第１ミラーと第２ミラーとの間を通過する一部の光を、遮蔽する位置に設けられた遮蔽面を含む遮蔽部と、を有する。
【０００８】  本開示に係る画像投写装置によれば、複数のレンズを含む屈折光学系において生じた不要光が投写面へ投写されることを効果的に防止することができる。
【図面の簡単な説明】
【０００９】
【図１】本開示の第１の実施形態に係るプロジェクタの全体的な構成を示す側断面図。
【図２】図１のプロジェクタの要部の構成を示す側断面図。
【図３】図１のプロジェクタを投写側から見た全体斜視図。
【図４】図３のプロジェクタからカバーガラスを取り外した上体を示す斜視図。
【図５】図３のプロジェクタの反射光学系を含む反射光学ユニットの構成を示す分解斜視図。
【図６Ａ】図５の反射光学系に含まれる第１ミラーと第１ミラーの端面に取り付けられる遮蔽シートの構成を示す分解斜視図。
【図６Ｂ】図５の反射光学系に含まれる第１ミラーの端面に取り付けられた遮蔽シートの構成を示す斜視図。
【図７】本開示の第２の実施形態に係るプロジェクタの構成を示す側断面図。
【図８】本開示の第３の実施形態に係るプロジェクタの構成を示す側断面図。
【図９】本開示の第４の実施形態に係るプロジェクタの構成を示す側断面図。
【発明を実施するための形態】
【００１０】  以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、出願人は、当業者が本開示を十分に理解するために添付図面および以下の説明を提供するのであって、これらによって請求の範囲に記載の主題を限定することを意図するものではない。
【００１１】  （実施形態１）  本開示の実施形態１に係るプロジェクタ（画像投写装置）１０について、図１〜図６Ｂを用いて説明すれば以下の通りである。
【００１２】  （プロジェクタ１０の構成）  本実施形態に係るプロジェクタ１０は、図１に示すように、入力された映像信号に基づいて投写面Ｄに対して映像（画像）を投写する。そして、プロジェクタ１０は、図２に示すように、ＤＭＤ（光変調素子、画像形成素子）１１、屈折光学系１２、固定枠１３、反射光学系１４、ミラーホルダ（第１・第２ミラー保持部）１５、カバーガラス１６、および絞りユニット１７を備えている。反射光学系１４は、第１ミラーＭ１および第２ミラーＭ２を有し、第１ミラーＭ１の下端面には遮蔽シート２０（遮蔽部）が取り付けられている。ここで、屈折光学系１２、固定枠１３、および絞りユニット１７は、屈折光学ユニット１８に含まれ、反射光学系１４、ミラーホルダ１５、カバーガラス１６、および遮蔽シート２０は反射光学ユニット１９に含まれる。遮蔽シート２０は、屈折光学系１２を含む屈折光学ユニット１８からの不要光（ＤＭＤ１１から出射される映像光以外の光であり、投写面Ｄに投写される映像の形成に寄与しない光）が第１ミラーＭ１および第２ミラーＭ２の間を通過して投写面Ｄに達するのを防止する。
【００１３】  なお、図１に示す構成では、プロジェクタ１０内に設けられた照明装置（照明部）を省略して示しているが、実際の構成ではプロジェクタ１０を構成する筐体の内部に照明装置が設けられているものとする。
【００１４】  ここで、本実施形態のプロジェクタ１０では、図１に示すように、映像が投写される投写面Ｄが、屈折光学系１２に含まれる第１〜第６レンズユニットＬ１〜Ｌ６の光軸Ｘ上に設定される。
【００１５】  そして、プロジェクタ１０は、図１に示すように、側面視において、投写面Ｄにおける下端となる第１端Ｐ１と上端となる第２端Ｐ２との間の領域に、各種映像、画像等を投写する。
【００１６】  ＤＭＤ１１は、表面に複数のミラー素子を有しており、照明装置（図示せず）から照射された光を変調させて、屈折光学系１２に含まれる第１〜第６レンズユニットＬ１〜Ｌ６に対して出射する。また、ＤＭＤ１１は、入力された映像信号に基づいて光を変調させることで、投写面Ｄ上に投写される映像（画像）を形成する。
【００１７】  屈折光学系１２は、図２に示すように、光軸Ｘに沿って配置された複数のレンズユニットＬ１〜Ｌ６によって構成されている。そして、屈折光学系１２は、ＤＭＤ１１において形成された映像（画像）の光を、光軸Ｘに沿って反射光学系１４の方へ導く。また、屈折光学系１２は、後述する反射光学系１４とともに投写光学系を構成する。
【００１８】  第１レンズユニットＬ１は、１枚の凸レンズによって構成されており、屈折光学系１２を構成するレンズユニットのうち、最もＤＭＤ１１側に配置されている。第２レンズユニットＬ２は、３枚のレンズによって構成されており、ＤＭＤ１１から入射してきた光の光路上における第１レンズユニットＬ１の下流側に配置されている。第３レンズユニットＬ３は、１枚の凸レンズによって構成されており、光路上における第２レンズユニットＬ２の下流側に配置されている。第４レンズユニットＬ４は、１枚の凹レンズによって構成されており、光路上における第３レンズユニットＬ３の下流側に配置されている。第５レンズユニットＬ５は、２枚のレンズによって構成されており、光路上における第４レンズユニットＬ４の下流側に配置されている。第６レンズユニットＬ６は、３枚のレンズによって構成されており、屈折光学系１２を構成するレンズユニットのうち、最も投写側（反射光学系１４側）に配置されている。
【００１９】  固定枠１３は、図２に示すように、第１レンズユニットＬ１〜第６レンズユニットＬ６を、各レンズの光軸Ｘが一致するように内包している。
【００２０】  反射光学系１４は、図２に示すように、２つのミラー（第１ミラーＭ１，第２ミラーＭ２）によって構成されており、屈折光学系１２から入射してきた光を反射させて、投写面Ｄへ投写させる。また、反射光学ユニット１９には、屈折光学系１２を含む屈折光学ユニット１８において生じ反射光学系１４に含まれる第１ミラーＭ１と第２ミラーＭ２との間を通過する一部の光（不要光）を遮蔽する位置に、第１ミラーＭ１または第２ミラーＭ２の反射面に略垂直な遮蔽面を含む遮蔽シート２０が設けられる。
【００２１】  第１ミラーＭ１は、屈折光学系１２における最下流側に配置された第６レンズユニットＬ６から出射された光を反射して、第２ミラーＭ２へ導く。そして、第１ミラーＭ１の端面Ｍ１ａ（図６Ａ参照）には、遮蔽シート２０が取り付けられている。端面Ｍ１ａは、図２に示すように、側面視において光軸Ｘに近い側の端面である。また、端面Ｍ１ａは、側面視において屈折光学系１２から遠くかつ第２ミラーＭ２の中心部に近い側の端面である。なお、第１ミラーＭ１は、光路上における上流側（屈折光学系１２側）に向くように配置された凹状の面を有している。そして、この凹状の面において反射された光は、第２ミラーＭ２の方へ導かれる。
【００２２】  第２ミラーＭ２は、第１ミラーＭ１において反射された光を反射して、図１に示す投写面Ｄへ映像を投写する。なお、第２ミラーＭ２は、光路上における下流側に向くように配置されたフラットな面を有している。そして、このフラットな面において反射された光が、投写面Ｄへと投写されることで、投写面Ｄには映像が表示される。
【００２３】  ミラーホルダ１５は、図２に示すように、第１ミラーＭ１および第２ミラーＭ２を保持する筐体であって、固定枠１３の投写側に接続されている。そして、ミラーホルダ１５は、投写面Ｄへ投写される光を透過させるカバーガラス１６を保持している。
【００２４】  なお、ミラーホルダ１５は、上部に、凹状の反射面が内側に向いた状態の第１ミラーＭ１が、端面Ｍ１ａに遮蔽シート２０が取り付けられた状態で固定される第１ミラー装着部１５ａを有している（図５参照）。また、ミラーホルダ１５は、下部に、反射面を上に向けた状態の第２ミラーＭ２が固定される第２ミラー装着部１５ｂを有している（図５参照）。
【００２５】  そして、ミラーホルダ１５は、光路上における最下流側となる端部に、光を透過させるカバーガラス１６が固定されるカバーガラス装着部１５ｃを有している（図５参照）。カバーガラス１６は、光を透過させるガラス素材によって形成された円弧状の部材であって、図２および図３に示すように、ミラーホルダ１５における最も投写側の端部に設けられている。
【００２６】  そして、図４に示すように、カバーガラス１６を取り外した状態では、第２ミラーＭ２と、第１ミラーＭ１の端面Ｍ１ａに取り付けられた遮蔽シート２０が露出される。
【００２７】  絞りユニット１７は、第３〜第６レンズユニットＬ３〜Ｌ６に入射される光の量を調整する部材であって、図２に示すように、上述した第３レンズユニットＬ３のＤＭＤ１１側に近接配置されている。
【００２８】  遮蔽シート２０は、例えば、カーボンブラックを混入させたポリエステルフィルムであって、優れた遮光性、反射防止効果を有している。そして、遮蔽シート２０は、図２に示すように、屈折光学系１２を保持する固定枠１３内（屈折光学ユニット１８）において生じた不要光が投写面Ｄへ投写されないように遮蔽するために設けられている。具体的には、遮蔽シート２０は、図５に示すように、上述した反射光学系１４に含まれる第１ミラーＭ１の端面Ｍ１ａに取り付けられており、不要光が投写面Ｄへ投写されることを防止する。
【００２９】  また、上述したように、遮蔽シート２０の遮蔽面は、第１ミラーＭ１または第２ミラーＭ２の反射面に略垂直な方向に沿って配置されている。
【００３０】  なお、遮蔽シート２０が取り付けられる第１ミラーＭ１の端面Ｍ１ａは、図６Ａに示すように、単一の平面によって構成され、略円弧状をなしている。よって、遮蔽シート２０は、フラットな端面Ｍ１ａに対して取り付けられる。よって、遮蔽シート２０によって光を遮蔽可能な部分は、図６Ｂに示す取付状態において、略円弧状の曲線と直線（弦）によって囲まれる形状となる。
【００３１】  すなわち、第１ミラーＭ１は、反射面が凹状に形成されているため、第１ミラーＭ１の端面Ｍ１ａのエッジ部分は略円弧状となる。よって、第１ミラーＭ１の端面Ｍ１ａに取り付けられたシート状の遮蔽シート２０は、端面Ｍ１ａの略円弧状のエッジ部分からはみ出した端面Ｍ１ａと面していない部分（遮蔽領域２０ａ）において不要光を遮蔽する。遮蔽領域２０ａは、第１ミラーＭ１の端面Ｍ１ａから第２ミラーＭ２に向かう方向にはみ出し、その方向に伸びている。
【００３２】  ここで、固定枠１３内（屈折光学ユニット１８）で生じる不要光は、例えば、第２レンズユニットＬ２を構成するレンズを保持するレンズ枠のエッジ部分、絞りユニット１７のエッジ部分、第３レンズユニットＬ３のレンズ枠のエッジ部分等において生じる反射光等を意味している。このような不要光は、図１に示すように、第１ミラーＭ１と第２ミラーＭ２との間を通過して、側面視において、第１〜第６レンズユニットＬ１〜Ｌ６の光軸Ｘ上に設置された投写面Ｄにおける第１端Ｐ１と第２端Ｐ２との間の表示領域に投写されてしまう。
【００３３】  そこで、本実施形態のプロジェクタ１０は、屈折光学系１２を保持する固定枠１３内において生じた不要光を効果的に遮蔽するために、反射光学系１４を構成する部品（第１ミラーＭ１）に対して設けられた遮蔽シート２０を備えている。
【００３４】  すなわち、本実施形態のプロジェクタ１０では、図１に示すように、屈折光学ユニット１８から第１ミラーＭ１と第２ミラーＭ２との間を通過して投写面Ｄへと進む不要光の光路上に、遮蔽シート２０を設けている。
【００３５】  これにより、屈折光学系１２を構成する複数のレンズユニットＬ１〜Ｌ６の光軸Ｘの延長線上に投写面Ｄが配置されるプロジェクタ１０の場合でも、第１ミラーＭ１と第２ミラーＭ２との間を通過した不要光が、投写面Ｄに投写されることを効果的に防止することができる。
【００３６】  この結果、屈折光学系１２に含まれる複数のレンズユニットＬ１〜Ｌ６の各レンズの光軸Ｘ上に投写面Ｄが設定されるプロジェクタ１０において、反射光学系１４を構成する第１ミラーＭ１と第２ミラーＭ２との間を通過する不要光の進路を遮蔽することができる。
【００３７】  なお、遮蔽シート２０の遮蔽面は、不要光のみを遮蔽し、ＤＭＤ１１から出射される映像光を遮らない位置に設けられる必要がある。そのため、遮蔽シート２０は、取り付けられた第１ミラーＭ１の反射面における任意の位置の法線方向と、遮蔽シート２０の遮蔽面とが平行になるように設置されていることが好ましい。これにより、遮蔽シート２０によって、第１ミラーＭ１において反射された映像光が遮られることを回避することができる。
【００３８】  （実施形態２）  本開示の実施形態２に係るプロジェクタ（画像投写装置）１１０について、図７を用いて説明すれば以下の通りである。
【００３９】  本実施形態のプロジェクタ１１０は、図７に示すように、遮蔽シート１２０がミラーホルダ（第１・第２ミラー保持部）１１５の第１ミラー保持部側に設けられた取付部１１５ａに取り付けられている点で、遮蔽シート２０が第１ミラーＭ１の端面Ｍ１ａに取り付けられた上記実施形態１のプロジェクタ１０とは異なっている。ここで、反射光学系１４、ミラーホルダ１１５、カバーガラス１６、および遮蔽シート１２０は反射光学ユニット１１９に含まれる。ただし、上記以外の点については、上記実施形態１のプロジェクタ１０と同様であることから、ここでは説明の便宜上、同じ符号を付し、それらの詳細な説明を省略する。
【００４０】  本実施形態のプロジェクタ１１０は、図７に示すように、屈折光学系１２を保持する固定枠１３内（屈折光学ユニット１８）において生じた不要光の光路を遮蔽するために、遮蔽シート（遮蔽部）１２０を備えている。遮蔽シート１２０は、図７に示すように、第１ミラーＭ１とカバーガラス１６とが近接するミラーホルダ１１５の一部（取付部１１５ａ）に対して取り付けられている。取付部１１５ａは、ミラーホルダ１１５において第１ミラーＭ１を保持する側（第１ミラー保持部に相当）に設けられる。取付部１１５ａは、第１ミラーＭ１の端面Ｍ１ａの近傍に設けられ、端面Ｍ１ａと平行な面を有する。この端面Ｍ１ａと平行な面に、遮蔽シート１２０が第２ミラーＭ２に向かう方向に伸びるように取り付けられる。
【００４１】  これにより、上記実施形態１と同様に、屈折光学系１２を構成する複数のレンズユニットＬ１〜Ｌ６の光軸Ｘの延長線上に投写面Ｄが配置されるプロジェクタ１１０の場合でも、第１ミラーＭ１と第２ミラーＭ２との間を通過した一部の光（不要光）が、投写面Ｄに投写されることを効果的に防止することができる。この結果、屈折光学系１２に含まれる複数のレンズユニットＬ１〜Ｌ６の各レンズの光軸Ｘ上に投写面Ｄが設定されるプロジェクタ１１０において、反射光学系１４を構成する第１ミラーＭ１と第２ミラーＭ２との間を通過する不要光の進路を遮蔽することができる。
【００４２】  なお、遮蔽シート１２０の遮蔽面は、不要光のみを遮蔽し、ＤＭＤ１１から出射される映像光を遮らない位置に設けられる必要がある。そのため、遮蔽シート１２０は、取り付けられたミラーホルダ１１５によって保持される第１ミラーＭ１の反射面における任意の位置の法線方向と、遮蔽シート１２０の遮蔽面とが平行になるように設置されていることが好ましい。これにより、遮蔽シート１２０によって、第１ミラーＭ１において反射された映像光が遮られることを回避することができる。
【００４３】  （実施形態３）  本開示の実施形態３に係るプロジェクタ（画像投写装置）２１０について、図８を用いて説明すれば以下の通りである。本実施形態のプロジェクタ２１０は、図８に示すように、遮蔽シート２２０が第２ミラーＭ２の端面Ｍ２ａに取り付けられている点で、遮蔽シート２０が第１ミラーＭ１の端面Ｍ１ａに取り付けられた上記実施形態１のプロジェクタ１０とは異なっている。ここで、反射光学系１４、ミラーホルダ１５、カバーガラス１６、および遮蔽シート２２０は反射光学ユニット２１９に含まれる。ただし、上記以外の点については、上記実施形態１のプロジェクタ１０と同様であることから、ここでは説明の便宜上、同じ符号を付し、それらの詳細な説明を省略する。
【００４４】  本実施形態のプロジェクタ２１０は、図８に示すように、屈折光学系１２を保持する固定枠１３内（屈折光学ユニット１８）において生じた不要光の光路を遮蔽するために、遮蔽シート（遮蔽部）２２０を備えている。遮蔽シート２２０は、図８に示すように、第２ミラーＭ２の端面Ｍ２ａに対して、第１ミラーＭ１に向かう方向に伸びるように取り付けられている。端面Ｍ２ａは、図８に示すように、側面視において光軸Ｘに近い側の端面である。また、端面Ｍ１ａは、側面視において屈折光学系１２から近くかつ第１ミラーＭ１の中心部に近い側の端面である。
【００４５】  これにより、上記実施形態１と同様に、屈折光学系１２を構成する複数のレンズユニットＬ１〜Ｌ６の光軸Ｘの延長線上に投写面Ｄが配置されるプロジェクタ２１０の場合でも、第１ミラーＭ１と第２ミラーＭ２との間を通過した一部の光（不要光）が、投写面Ｄに投写されることを効果的に防止することができる。この結果、屈折光学系１２に含まれる複数のレンズユニットＬ１〜Ｌ６の各レンズの光軸Ｘ上に投写面Ｄが設定されるプロジェクタ２１０において、反射光学系１４を構成する第１ミラーＭ１と第２ミラーＭ２との間を通過する不要光の進路を遮蔽することができる。
【００４６】  なお、遮蔽シート２２０の遮蔽面は、不要光のみを遮蔽し、ＤＭＤ１１から出射される映像光を遮らない位置に設けられる必要がある。そのため、遮蔽シート２２０は、取り付けられた第２ミラーＭ２の反射面における任意の位置の法線方向と、遮蔽シート２２０の遮蔽面とが平行になるように設置されていることが好ましい。これにより、遮蔽シート２２０によって、第２ミラーＭ２において反射された映像光が遮られることを回避することができる。
【００４７】  （実施形態４）  本開示の実施形態４に係るプロジェクタ（画像投写装置）３１０について、図９を用いて説明すれば以下の通りである。本実施形態のプロジェクタ３１０は、図９に示すように、遮蔽シート３２０がミラーホルダ（第１・第２ミラー保持部）３１５の第２ミラー保持部側に設けられた取付部３１５ａに取り付けられている点で、遮蔽シート１２０がミラーホルダ１１５の第１ミラー保持部側に設けられた取付部１１５ａに取り付けられた上記実施形態２のプロジェクタ１１０とは異なっている。ここで、反射光学系１４、ミラーホルダ３１５、カバーガラス１６、および遮蔽シート３２０は反射光学ユニット３１９に含まれる。ただし、上記以外の点については、上記実施形態２のプロジェクタ１１０と同様であることから、ここでは説明の便宜上、同じ符号を付し、それらの詳細な説明を省略する。
【００４８】  本実施形態のプロジェクタ３１０は、図９に示すように、屈折光学系１２を保持する固定枠１３内（屈折光学ユニット１８）において生じた不要光の光路を遮蔽するために、遮蔽シート（遮蔽部）３２０を備えている。遮蔽シート３２０は、図９に示すように、第２ミラーＭ２を保持するミラーホルダ３１５の一部（取付部３１５ａ）に対して取り付けられている。取付部３１５ａは、ミラーホルダ３１５において第２ミラーＭ２を保持する側（第２ミラー保持部に相当）に設けられる。取付部３１５ａは、第２ミラーＭ２の端面Ｍ２ａの近傍に設けられ、端面Ｍ２ａと平行な面を有する。この端面Ｍ２ａと平行な面に、遮蔽シート３２０が第１ミラーＭ１に向かう方向に伸びるように取り付けられる。
【００４９】  これにより、上記実施形態２と同様に、屈折光学系１２を構成する複数のレンズユニットＬ１〜Ｌ６の光軸Ｘの延長線上に投写面Ｄが配置されるプロジェクタ３１０の場合でも、第１ミラーＭ１と第２ミラーＭ２との間を通過した一部の光（不要光）が、投写面Ｄに投写されることを効果的に防止することができる。この結果、屈折光学系１２に含まれる複数のレンズユニットＬ１〜Ｌ６の各レンズの光軸Ｘ上に投写面Ｄが設定されるプロジェクタ３１０において、反射光学系１４を構成する第１ミラーＭ１と第２ミラーＭ２との間を通過する不要光の進路を遮蔽することができる。
【００５０】  なお、遮蔽シート３２０の遮蔽面は、不要光のみを遮蔽し、ＤＭＤ１１から出射される映像光を遮らない位置に設けられる必要がある。そのため、遮蔽シート３２０は、取り付けられたミラーホルダ３１５によって保持される第２ミラーＭ２の反射面における任意の位置の法線方向と、遮蔽シート３２０の遮蔽面とが平行になるように設置されていることが好ましい。これにより、遮蔽シート３２０によって、第２ミラーＭ２において反射された映像光が遮られることを回避することができる。
【００５１】  ［他の実施形態］  以上、本開示の一実施形態について説明したが、本開示は上記実施形態に限定されるものではなく、開示の要旨を逸脱しない範囲で種々の変更が可能である。
【００５２】  （Ａ）  上記実施形態では、遮蔽シート２０，１２０，２２０，３２０として、カーボンブラック入りのポリエステルフィルムを用いた例を挙げて説明した。しかし、本開示はこれに限定されるものではない。例えば、遮光性、反射防止効果を備えた素材であれば、他の素材を用いて遮蔽シートを形成してもよい。
【００５３】  （Ｂ）  上記実施形態１〜４では、不要光が投写面Ｄへ入射されることを防止するための遮蔽部として、遮蔽シート２０，１２０，２２０，３２０を用いた例を挙げて説明した。しかし、本開示はこれに限定されるものではない。例えば、シート状の部材に限らず、板状、ブロック状の部材を遮蔽部として用いてもよい。
【００５４】  （Ｃ）  上記実施形態２では、遮蔽部としての遮蔽シート１２０がミラーホルダ１１５の一部（取付部１１５ａ）に取り付けられている例を挙げて説明した。しかし、本開示はこれに限定されるものではない。例えば、遮蔽部がミラーホルダ１１５の一部として一体成形された構成であってもよい。この場合には、遮蔽シートをミラーホルダに取り付ける工程が不要となるため、製造コストを削減することができる。
【００５５】  同様に、上記実施形態４では、遮蔽部としての遮蔽シート３２０がミラーホルダ３１５の一部（取付部３１５ａ）に取り付けられている例を挙げて説明した。しかし、本開示はこれに限定されるものではない。例えば、遮蔽部がミラーホルダ３１５の一部として一体成形された構成であってもよい。この場合でも、遮蔽シートをミラーホルダに取り付ける工程が不要となるため、製造コストを削減することができる。
【００５６】  （Ｄ）  上記実施形態１〜４では、第１ミラーＭ１と第２ミラーＭ２とが１つのミラーホルダ１５，１１５，３１５において保持された構成を例として挙げて説明した。しかし、本開示はこれに限定されるものではない。例えば、第１ミラーと第２ミラーとは別々のミラーホルダに保持された構成であってもよい。
【００５７】  （Ｅ）  上記実施形態１〜４では、２つのミラー（第１ミラーＭ１，第２ミラーＭ２）を含む反射光学系１４を備えたプロジェクタ１０，１１０，２１０，３１０の構成を例として挙げて説明した。しかし、本開示はこれに限定されるものではない。例えば、上述した第１ミラーＭ１、第２ミラーＭ２に加えて、第３ミラー、第４ミラー等、３つ以上のミラーを含む反射光学系であってもよい。
【００５８】  （Ｆ）  上記実施形態１〜４では、第１〜第６レンズユニットＬ１〜Ｌ６を含む屈折光学系１２を備えたプロジェクタ１０，１１０，２１０，３１０の構成を例として挙げて説明した。しかし、本開示はこれに限定されるものではない。例えば、屈折光学系に含まれるレンズ構成は、上記実施形態１〜４で説明した構成に限らず、レンズの数、種類等を変更した構成であってもよい。
【００５９】  （Ｇ）  上記実施形態１〜４では、それぞれ１つの遮蔽シート２０、１２０、２２０、３２０を備えたプロジェクタ１０，１１０，２１０，３１０の構成を例として挙げて説明した。しかし、本開示はこれに限定されるものではなく、上記実施形態１〜４を組み合わせて２つ以上の遮蔽シート２０、１２０、２２０、３２０を用いてもよい。例えば、上記実施形態１、３を組み合わせて、第１ミラーＭ１の端面Ｍ１ａに取り付けられる遮蔽シート２０、および第２ミラーＭ２の端面Ｍ２ａに取り付けられる遮蔽シート２２０の両方を備えるようにプロジェクタを構成してもよい。
【産業上の利用可能性】
【００６０】  本開示の画像投写装置は、複数のレンズを含む屈折光学系において生じた不要光が投写面へ投写されることを効果的に防止することができるという効果を奏することから、各種画像投写装置に対して広く適用可能である。
【符号の説明】
【００６１】１０      プロジェクタ（画像投写装置）１１      ＤＭＤ（光変調素子、画像形成素子）１２      屈折光学系１３      固定枠１４      反射光学系１５      ミラーホルダ（第１・第２ミラー保持部）１５ａ    第１ミラー装着部１５ｂ    第２ミラー装着部１５ｃ    カバーガラス装着部１６      カバーガラス１７      絞りユニット１８      屈折光学ユニット１９      反射光学ユニット２０      遮蔽シート（遮蔽部）２０ａ    遮蔽領域１１０    プロジェクタ（画像投写装置）１１５    ミラーホルダ（第１・第２ミラー保持部）１１５ａ  取付部１１９    反射光学ユニット１２０    遮蔽シート（遮蔽部）２１０    プロジェクタ（画像投写装置）２１９    反射光学ユニット２２０    遮蔽シート（遮蔽部）３１０    プロジェクタ（画像投写装置）３１５    ミラーホルダ（第１・第２ミラー保持部）３１５ａ  取付部３１９    反射光学ユニット３２０    遮蔽シート（遮蔽部）  Ｄ      投写面Ｌ１〜Ｌ６  第１〜第６レンズユニット  Ｍ１    第１ミラー  Ｍ１ａ  端面  Ｍ２    第２ミラー  Ｍ２ａ  端面  Ｐ１    第１端  Ｐ２    第２端  Ｘ      光軸
【図１】
2018003400.tif 000003
【図２】
2018003400.tif 000004
【図３】
2018003400.tif 000005
【図４】
2018003400.tif 000006
【図５】
2018003400.tif 000007
【図６Ａ】
2018003400.tif 000008
【図６Ｂ】
2018003400.tif 000009
【図７】
2018003400.tif 000010
【図８】
2018003400.tif 000011
【図９】
2018003400.tif 000012
【国際調査報告】
2018003400.tif 000013
2018003400.tif 000014
2018003400.tif 000015
2018003400.tif 000016